(57)【特許請求の範囲】
【請求項１】
各種サービスに利用可能な非接触ＩＣを搭載した携帯端末装置であって、
前記非接触ＩＣから、前記非接触ＩＣに記憶された各種サービスの利用状況を取得する取得手段と、
前記取得した各種サービスの利用状況を記憶する記憶手段と、
前記記憶手段に記憶した各種サービスの利用状況を出力する出力手段と、
前記取得手段に各種サービスの利用状況を取得させるためのタイミング信号を出力するタイミング通知手段と、を備え、
前記取得手段は、前記タイミング通知手段から前記タイミング信号を入力した時点に、前記非接触ＩＣに記憶された各種サービスの利用状況を取得し、
前記タイミング通知手段は、前記非接触ＩＣが各種サービスに所定の回数利用された時点に、前記タイミング信号を出力する携帯端末装置。
【請求項２】
各種サービスに利用可能な非接触ＩＣを搭載した携帯端末装置であって、
前記非接触ＩＣから、前記非接触ＩＣに記憶された各種サービスの利用状況を取得する取得手段と、
前記取得した各種サービスの利用状況を記憶する記憶手段と、
前記記憶手段に記憶した各種サービスの利用状況を出力する出力手段と、
前記取得手段に各種サービスの利用状況を取得させるためのタイミング信号を出力するタイミング通知手段と、を備え、
前記取得手段は、前記タイミング通知手段から前記タイミング信号を入力した時点に、前記非接触ＩＣに記憶された各種サービスの利用状況を取得し、
前記タイミング通知手段は、予め設定された時刻または予め設定された時間間隔毎に、前記タイミング信号を出力する携帯端末装置。
【請求項３】
請求項１又は請求項２に記載の携帯端末装置であって、
前記記憶手段に記憶した各種サービスの利用状況のうち、設定された条件に該当する各種サービスの利用状況を検索する検索手段と、
前記条件を設定する設定手段と、を備え、
前記出力手段は、前記検索手段により検索した各種サービスの利用状況を出力する携帯端末装置。
【請求項４】
請求項１から請求項３のいずれか１項に記載の携帯端末装置であって、
前記出力手段は、メール送信手段を含み、
前記メール送信手段は、前記記憶手段に記憶した各種サービスの利用状況をメール送信する携帯端末装置。
【請求項５】
請求項１から請求項３のいずれか１項に記載の携帯端末装置であって、
前記出力手段は、各種サービスの利用状況を表示する表示部であり、
前記表示部は、複数のサービスの利用状況を同時に表示する携帯端末装置。
【発明の詳細な説明】
【技術分野】
【０００１】
本発明は、非接触ＩＣを搭載した携帯端末装置に関し、特に、非接触ＩＣにより利用可能なサービスの利用履歴を確認することができる携帯端末装置に関する。
【背景技術】
【０００２】
近年、非接触ＩＣカードを利用した、様々なサービスが提供されている。例えば、店舗や自動販売機における料金の精算、鉄道やバスなどの交通手段における乗車運賃の精算、または、各種会場における入場者の入退場の管理、などが挙げられる。
【０００３】
これまで、非接触ＩＣカードの利用者は、これらのサービスの利用履歴、例えば利用金額、利用用途、利用可能残高・利用可能ポイント、または、入退場のステータスなど、を確認するために、サービス毎に請求書を取寄せたり、非接触ＩＣカード読み取り装置により読み取った利用履歴を当該装置に表示させたり、非接触ＩＣカード読み取り装置と接続したサーバに非接触ＩＣカードの利用者宛てに利用履歴の情報を含むメールを送信させたり、する必要があった（特許文献１参照）。このため、非接触ＩＣカードの利用者は、いつでも利用履歴を確認するというわけにはいかなかったり、また、利用履歴を確認するために手間をかけさせられることがあった。
【０００４】
現在では、非接触ＩＣカード機能を実現するためのＩＣチップ（以後、このＩＣチップのことを非接触ＩＣと記載する）を搭載した携帯端末装置も開発されており、利用者は、携帯端末装置の機能を利用することにより、非接触ＩＣカード機能の利用履歴を任意の時点で確認することができるようになってきている。この携帯端末装置は、利用履歴を例えばディスプレイに表示させる際、利用履歴を表示させたいサービスに対応して起動させたアプリケーションにより、非接触ＩＣのメモリからの利用履歴に該当するデータの読み取り、および、読み取ったデータに基づく利用履歴のディスプレイへの表示、の処理を実行する。利用者は、この携帯端末装置を利用することにより、非接触ＩＣカード読み取り装置や非接触ＩＣカード読み取り装置と接続したサーバなどを介して利用履歴を確認するのではなく、非接触ＩＣから読み込んだ利用履歴を直接確認することができるため、いつでも利用履歴を確認することができる。
【特許文献１】特開２００３−８５６０８号公報
【発明の開示】
【発明が解決しようとする課題】
【０００５】
しかしながら、上記の携帯端末装置は、非接触ＩＣカード機能を利用したサービスの利用履歴を表示する度に、そのサービスに対応するデータ読み取り用のアプリケーションを逐次起動させなければならないため、利用履歴をディスプレイに表示させるまでに時間がかかる。また、非接触ＩＣカード機能を利用したサービスを複数利用するようになると、サービス全体での利用履歴を確認する際に、利用しているサービスが多くなるほど、利用履歴確認時に時間がかかることになる。
【０００６】
また、上記の携帯端末装置は、非接触ＩＣカード機能を利用したサービスの利用履歴を表示する際、サービス毎に異なるアプリケーションにより非接触ＩＣのメモリからの利用履歴の読み出しからディスプレイへの表示までを行う構成であるため、複数のサービスの利用履歴を同時に表示することが困難であった。
【０００７】
本発明は、上記事情に鑑みてなされたもので、非接触ＩＣカード機能を利用したサービスの利用履歴を確認する際の、利用者の利便性を向上させることができる携帯端末装置を提供することを目的とする。
【課題を解決するための手段】
【０００８】
本発明の携帯端末装置は、各種サービスに利用可能な非接触ＩＣを搭載した携帯端末装置であって、前記非接触ＩＣから、前記非接触ＩＣに記憶された各種サービスの利用状況を取得する取得手段と、前記取得した各種サービスの利用状況を記憶する記憶手段と、前記記憶手段に記憶した各種サービスの利用状況を出力する出力手段と、前記取得手段に各種サービスの利用状況を取得させるためのタイミング信号を出力するタイミング通知手段と、を備え、前記取得手段は、前記タイミング通知手段から前記タイミング信号を入力した時点に、前記非接触ＩＣに記憶された各種サービスの利用状況を取得するものである。
【０００９】
従来の非接触ＩＣを搭載した携帯端末装置は、非接触ＩＣカード機能により利用可能な各サービスの利用状況を確認する際、利用者がサービスの利用状況を出力するための操作を行ったときに、各サービスに対応するデータ読み取り用のアプリケーションを逐次起動し、非接触ＩＣのメモリから各サービスの利用状況に関するデータを読み取って、出力させていたが、この構成によれば、各サービスに対応するデータ読み取り用のアプリケーションを起動して非接触ＩＣのメモリから各サービスの利用状況に関するデータを読み取って予め携帯端末装置の記憶部に記憶しておき、記憶しておいた各サービスの利用状況に関するデータを出力させるため、利用者の操作から各サービスの利用状況の出力までにかかる時間を短縮することができる。また、非接触ＩＣのメモリから複数のサービスの利用状況に関するデータを読み取って記憶しておくため、これらの利用状況のデータを管理し易く、複数のサービスの利用状況を同時に表示することができる。
【００１０】
また、本発明の携帯端末装置は、前記タイミング通知手段は、前記非接触ＩＣが各種サービスに利用された時点に、前記タイミング信号を出力するものを含む。
【００１１】
また、本発明の携帯端末装置は、前記タイミング通知手段は、前記非接触ＩＣが各種サービスに所定の回数利用された時点に、前記タイミング信号を出力するものを含む。
【００１２】
また、本発明の携帯端末装置は、前記タイミング通知手段は、予め設定された時刻または予め設定された時間間隔毎に、前記タイミング信号を出力するものを含む。
【００１３】
この構成によれば、非接触ＩＣのメモリから、非接触ＩＣカード機能を利用した各サービスの利用状況に関するデータを効率的に携帯端末装置の記憶部に記憶することができる。
【００１４】
また、本発明の携帯端末装置は、前記記憶手段に記憶した各種サービスの利用状況のうち、設定された条件に該当する各種サービスの利用状況を検索する検索手段と、前記条件を設定する設定手段と、を備え、前記出力手段は、前記検索手段により検索した各種サービスの利用状況を出力するものを含む。
【００１５】
この構成によれば、利用者は、非接触ＩＣカード機能を利用したサービスのうち、確認したいサービスの利用状況のみを効率的に確認することができる。
【００１６】
また、本発明の携帯端末装置は、前記出力手段は、メール送信手段を含み、前記メール送信手段は、前記記憶手段に記憶した各種サービスの利用状況をメール送信するものを含む。
【００１７】
この構成によれば、利用者は、非接触ＩＣカード機能を利用したサービスの利用状況を容易に確認することができる。
【発明の効果】
【００１８】
本発明の携帯端末装置によれば、非接触ＩＣを利用したサービスの利用履歴を確認する際の、非接触ＩＣ利用者の利便性を向上させることができる。
【発明を実施するための最良の形態】
【００１９】
（第１実施形態）
本発明の第１実施形態の携帯端末装置について、図面を参照して詳細に説明する。図１に、本発明の第１実施形態の携帯端末装置の構成図を示す。
【００２０】
本発明の第１実施形態の携帯端末装置は、当該携帯端末装置の機能および当該携帯端末装置で実行可能なアプリケーションの実行を制御する制御部１、当該携帯端末装置利用者による各種サービスの利用を可能にする非接触ＩＣ２、非接触ＩＣ２の動作状態を検出する検出部３、各種データを記憶するメモリ４、当該携帯端末装置利用者からの入力操作を受け付けるための操作キー５、各種情報を表示させるための表示部６、当該携帯端末装置のアンテナ８により無線通信を行う無線部７を含んで構成される。
【００２１】
制御部１は、非接触ＩＣ２、検出部３、メモリ４、操作キー５、表示部６および無線部７に接続されており、各部の実行処理をメモリ４に記憶されたプログラムを実行することにより制御する。
【００２２】
非接触ＩＣ２は、ＩＣが内蔵されたチップカードを指し、ＣＰＵ２１、メモリ２２およびアンテナ２３から構成されている。非接触ＩＣ２には接点がなく、カードに埋め込まれたアンテナ２３を使って電力供給およびデータ通信が行われる。用途によって「ＲＦ−ＩＤ（Radio Frequency Identification）」や「ＲＦタグ」と呼ばれることもあるが、基本的には同じものを指す。また、非接触ＩＣ２は、強力なＣＰＵ２１を積み、金融や決済に利用されることも多い。
【００２３】
検出部３は、非接触ＩＣ２が当該携帯端末装置利用者によってあるサービスに利用されていることを検出して、検出信号を制御部１に出力する。検出部３は、非接触ＩＣ２とリーダライタが通信を行うことで非接触ＩＣ２から制御部１に割込み信号が入力されることや、リーダライタと通信を行うための電波をアンテナ２３で受けることで非接触ＩＣ２のクロックが発振を開始することや、非接触ＩＣ２のＣＰＵ２１の信号処理のために電力が消費されることによって非接触ＩＣ２に供給される電圧が変化することを検出することにより、非接触ＩＣ２が当該携帯端末装置利用者によってサービスに利用されていることを検出する。
【００２４】
制御部１は、検出信号を検出部３から入力すると、非接触ＩＣ２のメモリ２２からデータを読み取るための、各種サービス毎のアプリケーションをそれぞれ起動する。制御部１は、各アプリケーション起動後、非接触ＩＣ２のメモリ２２から当該アプリケーションに対応するサービスの利用状況に関するデータをそれぞれ読み取り、当該携帯端末装置のメモリ４に書き込む。サービスの利用状況に関するデータは、入出金または残高、当該サービスで金銭の代わりに利用できるポイント数、入退場のステータスなどを含む。
【００２５】
制御部１は、上記のように非接触ＩＣ２のメモリ２２に記憶された各サービスの利用状況を当該携帯端末装置のメモリ４に書き込みつつ、各サービスの利用状況を表示部６に表示する操作を操作キー５が受け付けたことを検知すると、当該携帯端末装置のメモリ４から各サービスの利用状況を読み出し、表示部６に表示するよう制御する。表示部６に表示する各サービスの利用状況の表示例は、後述する。
【００２６】
また、制御部１は、当該携帯端末装置のメモリ４から読み出した各サービスの利用状況を、無線部７により、当該携帯端末装置利用者が電話帳機能等を参照して予め設定した宛先にメール送信する。制御部１は、各サービスの利用状況が当該携帯端末装置のメモリ４に書き込まれる毎に、当該携帯端末装置のメモリ４から読み出した各サービスの利用状況をメール送信するようにしても良いし、所定の回数書き込まれる毎に、当該携帯端末装置のメモリ４から読み出した各サービスの利用状況をメール送信するようにしても良い。
【００２７】
次に、本発明の第１実施形態の携帯端末装置の処理の流れを説明する。図２に、本発明の第１実施形態の携帯端末装置における、非接触ＩＣによるサービス利用状況の出力時のフローチャートを示す。
【００２８】
本発明の第１実施形態の携帯端末装置において、当該携帯端末装置利用者が非接触ＩＣ２により利用可能なサービスの利用を開始すると、検出部３は、例えば、非接触ＩＣ２とリーダライタが通信を行うことで非接触ＩＣ２から制御部１に割込み信号が入力されることや、リーダライタと通信を行うための電波をアンテナ２３で受けることで非接触ＩＣ２のクロックが発振を開始することや、非接触ＩＣ２のＣＰＵ２１の信号処理のために電力が消費されることによって非接触ＩＣ２に供給される電圧が変化することを検出することにより、非接触ＩＣ２がリーダライタと通信中であることを検出する（Ｓ２１、ＹＥＳ）。
【００２９】
非接触ＩＣ２は、当該携帯端末装置利用者が利用したサービスに応じてサービスの利用状況に関するデータがリーダライタから送信されるごとに、利用状況を非接触ＩＣ２のメモリ２２に更新して記憶していく（Ｓ２２）。
【００３０】
検出部３が非接触ＩＣ２とリーダライタとの通信を終了したことを検出して（Ｓ２３、ＹＥＳ）、制御部１に検出信号を出力すると、制御部１は、非接触ＩＣ２のメモリ２２からデータを読み取るための、各種サービス毎のアプリケーションをそれぞれ起動する（Ｓ２４）。制御部１は、各アプリケーション起動後、非接触ＩＣ２のメモリ２２から当該アプリケーションに対応するサービスの利用状況に関するデータをそれぞれ読み取り（Ｓ２５）、当該携帯端末装置のメモリ４に書き込む（Ｓ２６）。なお、ここでは、制御部１は、検出部３が非接触ＩＣ２とリーダライタとの通信を終了したことを検出する度に、ステップ２４からステップ２６の処理を実行するよう記載したが、当該携帯端末装置利用者が非接触ＩＣ２により利用可能なサービスを所定の回数利用し、検出部３が非接触ＩＣ２とリーダライタとの通信が所定の回数終了したことを検出した時点で、ステップ２４からステップ２６の処理を実行するようにしてもよい。
【００３１】
制御部１は、各サービスの利用状況を表示部６に表示する操作を操作キー５が受け付けたことを検知すると（Ｓ２７、ＹＥＳ）、当該携帯端末装置のメモリ４から各サービスの利用状況を読み出し、表示部６に表示させるよう制御する（Ｓ２８）。また、各サービスの利用状況を無線部７からメール送信する操作を操作キー５が受け付けたことを検知すると（Ｓ２７、ＹＥＳ）、当該携帯端末装置のメモリ４から各サービスの利用状況を読み出し、無線部７にメール送信させるよう制御する（Ｓ２８）。なお、制御部１が、ステップＳ２７で各サービスの利用状況を出力する操作を操作キー５により受け付けた場合に、ステップ２８で当該携帯端末装置のメモリ４から各サービスの利用状況を読み出し、出力させるよう記載したが、ステップ２６で各サービスの利用状況が当該携帯端末装置のメモリ４に書き込まれる毎に、当該携帯端末装置のメモリ４から各サービスの利用状況を読み出し、出力させるようにしても良い（Ｓ２８）。
【００３２】
従来の非接触ＩＣを搭載した携帯端末装置は、非接触ＩＣにより利用可能な各サービスの利用状況を確認する際、当該携帯端末装置利用者がサービスの利用状況を出力するための操作を行ったときに、各サービスに対応するデータ読み取り用のアプリケーションを逐次起動し、非接触ＩＣから各サービスの利用状況に関するデータを読み取って、出力させていたが、本発明の第１実施形態の携帯端末装置は、非接触ＩＣが何かしらのサービスに利用される毎に、各サービスに対応するデータ読み取り用のアプリケーションを起動して非接触ＩＣから各サービスの利用状況に関するデータを読み取って携帯端末の記憶部に記憶しておき、当該携帯端末装置利用者がサービスの利用状況を出力するための操作を行ったときに、記憶しておいた各サービスの利用状況に関するデータを出力させるため、当該携帯端末装置利用者の操作から各サービスの利用状況の出力までにかかる時間を短縮することができる。また、非接触ＩＣから複数のサービスの利用状況に関するデータを読み取って記憶しておくため、これらの利用状況のデータを管理し易く、複数のサービスの利用状況を同時に表示することができる。
【００３３】
（第２実施形態）
本発明の第２実施形態の携帯端末装置について、図面を参照して詳細に説明する。図３に、本発明の第２実施形態の携帯端末装置の構成図を示す。本発明の第２実施形態の携帯端末装置において、検出部３は、本発明の第１実施形態の携帯端末装置のように非接触ＩＣ２の動作状態を検出するのではなく、タイマ９から入力されるタイマ信号を検出して、検出信号を制御部１に出力する。タイマ９は、所定の時間間隔でタイマ信号を検出部３に出力する、あるいは、指定の時刻にタイマ信号を検出部３に出力する、などして、時間についての情報に基づいて検出部３にタイマ信号を出力する。その他の構成は、本発明の第１実施形態の携帯端末装置の構成と同一である。
【００３４】
次に、本発明の第２実施形態の携帯端末装置の処理の流れを説明する。図４に、本発明の第２実施形態の携帯端末装置における、非接触ＩＣによるサービス利用状況の出力時のフローチャートを示す。
【００３５】
本発明の第２実施形態の携帯端末装置において、タイマ９は、所定の時間が経過した場合、あるいは、指定の時刻になった場合、タイマ信号を検出部３に出力し、検出部３は、タイマ９から入力される信号を検出して、検出信号を制御部１に出力する。（Ｓ３１、ＹＥＳ）。
【００３６】
制御部１は、検出部３が制御部１に検出信号を出力すると、非接触ＩＣ２のメモリ２２からデータを読み取るための、各種サービス毎のアプリケーションをそれぞれ起動する（Ｓ３２）。制御部１は、各アプリケーション起動後、非接触ＩＣ２のメモリ２２から当該アプリケーションに対応するサービスの利用状況に関するデータをそれぞれ読み取り（Ｓ３３）、当該携帯端末装置のメモリ４に書き込む（Ｓ３４）。
【００３７】
制御部１は、各サービスの利用状況を表示部６に表示する操作を操作キー５が受け付けたことを検知すると（Ｓ３５、ＹＥＳ）、当該携帯端末装置のメモリ４から各サービスの利用状況を読み出し、表示部６に表示させるよう制御する（Ｓ３６）。また、操作キー５から各サービスの利用状況を無線部７からメール送信する操作を操作キー５が受け付けたことを検知すると（Ｓ３５、ＹＥＳ）、当該携帯端末装置のメモリ４から各サービスの利用状況を読み出し、無線部７にメール送信させるよう制御する（Ｓ３６）。なお、制御部１が、ステップＳ３５で各サービスの利用状況を出力する操作を操作キー５により受け付けた場合に、ステップ３６で当該携帯端末装置のメモリ４から各サービスの利用状況を読み出し、出力させるよう記載したが、ステップ３４で各サービスの利用状況が当該携帯端末装置のメモリ４に書き込まれる毎に、当該携帯端末装置のメモリ４から各サービスの利用状況を読み出し、出力させるようにしても良い（Ｓ３６）。
【００３８】
本発明の第２実施形態の携帯端末装置は、所定の時間間隔または所定の時刻に、各サービスに対応するデータ読み取り用のアプリケーションを起動して非接触ＩＣから各サービスの利用状況に関するデータを読み取って携帯端末装置の記憶部に記憶しておき、当該携帯端末装置利用者がサービスの利用状況を出力するための操作を行ったときに、記憶しておいた各サービスの利用状況に関するデータを出力させるため、当該携帯端末装置利用者の操作から各サービスの利用状況の出力までにかかる時間を短縮することができる。また、非接触ＩＣから複数のサービスの利用状況に関するデータを読み取って記憶しておくため、これらの利用状況のデータを管理し易く、複数のサービスの利用状況を同時に表示することができる。
【００３９】
（第３実施形態）
本発明の第３実施形態の携帯端末装置について、図面を参照して詳細に説明する。本発明の第３実施形態の携帯端末装置の構成図は、図１または図２いずれの構成であっても良い。
【００４０】
本発明の第３実施形態の携帯端末装置において、操作キー５は、本発明の第１実施形態の携帯端末装置における図２のステップ２８の処理または本発明の第２実施形態の携帯端末装置における図４のステップ３６の処理において携帯端末装置のメモリ４から非接触ＩＣにより利用したサービスの利用状況を出力する際、特定のサービスの利用状況のみを出力するための条件を受け付ける。操作キー５は、例えば、サービスの種別、サービスを利用した時期や金額、利用したサービスの支払方法、などの条件を受け付け、制御部１は、操作キー５で受け付けた条件に合致する各サービスの利用状況を当該携帯端末装置のメモリ４から読み出し、出力させるよう制御する。その他の構成は、本発明の第１実施形態の携帯端末装置または本発明の第２実施形態の携帯端末装置の構成と同一である。
【００４１】
次に、本発明の第３実施形態の携帯端末装置の処理の流れを説明する。図５に、本発明の第３実施形態の携帯端末装置における、非接触ＩＣによるサービス利用状況の出力時のフローチャートを示す。本発明の第３実施形態の携帯端末装置の処理の流れは、本発明の第１実施形態の携帯端末装置における図２のステップ２１〜２７の処理または本発明の第２実施形態の携帯端末装置における図４のステップ３１〜３５の処理は共通であるため、フローチャートを省略している。
【００４２】
制御部１は、図２のステップ２７の処理または図４のステップ３５の処理の後、操作キー５により所定のサービスの利用状況を検索するための条件を受け付けると（Ｓ５１）、その受け付けた条件に合致する各サービスの利用状況を当該携帯端末装置のメモリ４中から検索し（Ｓ５２）、該当するサービスの利用状況を読み出す（Ｓ５３）。ステップ５１〜５３の処理を、図６に示す、所定のサービスの利用状況を検索するための条件の一例、および、図７〜図９に示す、表示部に表示する各サービスの利用状況の表示例を参照して詳細に説明する。なお、図６に示す符号７ａ〜７ｆ、８ａ〜８ｆ、９ａ〜９ｅが付与された条件それぞれは、図７〜図９各々の図のように表示部６に表示される。
【００４３】
制御部１は、図６に示す符号７ａ〜７ｆ、８ａ〜８ｆ、９ａ〜９ｅが付与された条件それぞれを図７〜図９各々の図のように表示部６に表示させ、当該携帯端末装置利用者に操作キー５により選択させることにより、その条件に該当するサービスの利用状況を表示部に表示させる。表示部６に表示させた、所定のサービスの利用状況を検索するための条件を当該携帯端末装置利用者に選択するよう促すことにより、当該携帯端末装置利用者は効率的に条件を入力することができる。
【００４４】
図６に示す条件の流れを説明する。制御部１は、非接触ＩＣにより利用したサービスの利用状況を当該携帯端末装置利用者が確認する操作を操作キー５により開始したことを検知すると、図７（ａ）に示す、サービスの利用状況確認用のメインメニューを表示する。項目「Ｔｏｔａｌ」は、非接触ＩＣにより利用可能な全サービスの利用状況一覧を確認するための条件である。項目「サービス別」は、非接触ＩＣにより利用可能な各サービス毎の利用状況を確認するための条件である。項目「支払種別」は、非接触ＩＣにより利用可能な支払方法毎の利用状況を確認するための条件である。
【００４５】
制御部１は、当該携帯端末装置利用者によって項目「Ｔｏｔａｌ」が選択されたことを検知すると、図７（ｂ）に示すさらに別の条件を表示させて、全サービスの残高一覧を表示するのか、或いは、全サービスの利用履歴を表示するのかを促す。制御部１は、当該携帯端末装置利用者によって項目「残高一覧」が選択されたことを検知すると、各サービスの利用状況を当該携帯端末装置のメモリ４中から読み出し、各サービスの残高を算出して、図７（ｃ）に示す残高一覧を表示部６に表示する。また、制御部１は、当該携帯端末装置利用者によって項目「利用履歴」が選択されたことを検知すると、図７（ｄ）に示す日付を指定するためのカレンダーを表示させて、さらに別の条件を入力するよう当該携帯端末装置利用者に促す。制御部１は、当該携帯端末装置利用者によってある日付（ここでは、８月１８日）が指定されたことを検知すると、その指定された日付における各サービスの利用状況を当該携帯端末装置のメモリ４中から読み出して図７（ｅ）に示す利用履歴を表示し、一方、当該携帯端末装置利用者によってある月（ここでは、８月）が指定されたことを検知すると、その指定された月における各サービスの利用状況を当該携帯端末装置のメモリ４中から読み出して図７（ｆ）に示す利用履歴を表示する。
【００４６】
また、制御部１は、当該携帯端末装置利用者によって図７（ａ）の項目「サービス別」が選択されたことを検知すると、図８（ａ）に示す非接触ＩＣにより利用可能な各サービス名を表示させて、どのサービスの利用状況を表示するのかを促す。制御部１は、当該携帯端末装置利用者によってプリペイドを利用したサービスのプリペイドＡが選択されたことを検知すると、図８（ｂ）に示すさらに別の条件を表示させて、プリペイドＡの残高を表示するのか、或いは、利用履歴を表示するのかを促す。制御部１は、当該携帯端末装置利用者によって項目「残高」が選択されたことを検知すると、プリペイドＡの利用状況を当該携帯端末装置のメモリ４中から読み出し、残高を算出して、図８（ｃ）に示す残高を表示部６に表示する。また、制御部１は、当該携帯端末装置利用者によって項目「利用履歴」が選択されたことを検知すると、図８（ｄ）に示す日付を指定するためのカレンダーを表示させて、さらに別の条件を入力するよう当該携帯端末装置利用者に促す。制御部１は、当該携帯端末装置利用者によってある日付（ここでは、８月１８日）が指定されたことを検知すると、その指定された日付におけるプリペイドＡの利用状況を当該携帯端末装置のメモリ４中から読み出して図８（ｅ）に示す利用履歴を表示し、一方、当該携帯端末装置利用者によってある月（ここでは、８月）が指定されたことを検知すると、その指定された月におけるプリペイドＡの利用状況を当該携帯端末装置のメモリ４中から読み出して図８（ｆ）に示す利用履歴を表示する。
【００４７】
また、制御部１は、当該携帯端末装置利用者によって図７（ａ）の項目「支払種別」が選択されたことを検知すると、図９（ａ）に示す非接触ＩＣにより利用可能な各支払方法を表示させて、どの支払方法を利用したサービスの利用状況を表示するのかを促す。制御部１は、当該携帯端末装置利用者によってプリペイドの支払方法が選択されたことを検知すると、図９（ｂ）に示すさらに別の条件を表示させて、プリペイドを利用した支払方法のサービスにおける年毎、月毎或いは日毎のうちのどの利用履歴を表示するのかを促す。制御部１は、選択された年毎、月毎或いは日毎に応じたプリペイドを利用した全サービスの利用状況を当該携帯端末装置のメモリ４中から読み出して図９（ｃ）、図９（ｄ）或いは図９（ｅ）に示す利用履歴を表示する。
【００４８】
本発明の第３実施形態の携帯端末装置は、非接触ＩＣが何かしらのサービスに利用される毎に、または、所定の時間間隔または所定の時刻に、各サービスに対応するデータ読み取り用のアプリケーションを起動して非接触ＩＣから各サービスの利用状況を読み取って携帯端末装置の記憶部に記憶しておき、当該携帯端末装置利用者がサービスの利用状況を出力するための操作を行ったときに、記憶しておいた各サービスの利用状況のうち所定の条件を満たすものを出力させるため、当該携帯端末装置利用者が確認したいサービスの利用状況のみを効率的に確認することができる。  
本発明を詳細にまた特定の実施態様を参照して説明したが、本発明の精神と範囲を逸脱することなく様々な変更や修正を加えることができることは当業者にとって明らかである。
【００４９】
本出願は、2004年12月3日出願の日本特許出願（特願2004−350970）に基づくものである。
【産業上の利用可能性】
【００５０】
本発明の携帯端末装置は、非接触ＩＣを利用したサービスの利用履歴を確認する際の、非接触ＩＣ利用者の利便性を向上させることができるという効果を奏し、非接触ＩＣを搭載した携帯端末装置に関し、特に、非接触ＩＣにより利用可能なサービスの利用履歴を確認することができる携帯端末装置に関して有用である。
【図面の簡単な説明】
【００５１】
【図１】本発明の第１実施形態の携帯端末装置の構成図
【図２】本発明の第１実施形態の携帯端末装置における、非接触ＩＣによるサービス利用状況の出力時のフローチャート
【図３】本発明の第２実施形態の携帯端末装置の構成図
【図４】本発明の第２実施形態の携帯端末装置における、非接触ＩＣによるサービス利用状況の出力時のフローチャート
【図５】本発明の第３実施形態の携帯端末装置における、非接触ＩＣによるサービス利用状況の出力時のフローチャート
【図６】本発明の第３実施形態の携帯端末装置の表示部に表示する、所定のサービスの利用状況を検索するための条件の一例
【図７】本発明の第３実施形態の携帯端末装置の表示部に表示する各サービスの利用状況の表示例１
【図８】本発明の第３実施形態の携帯端末装置の表示部に表示する各サービスの利用状況の表示例２
【図９】本発明の第３実施形態の携帯端末装置の表示部に表示する各サービスの利用状況の表示例３
【符号の説明】
【００５２】
１  制御部
２  非接触ＩＣ
２１  非接触ＩＣのＣＰＵ
２２  非接触ＩＣのメモリ
２３  非接触ＩＣのアンテナ
３  検出部
４  メモリ
５  操作キー
６  表示部
７  無線部
８  携帯端末装置のアンテナ
９  タイマ
【図１】
0004472708.tif 000002
【図２】
0004472708.tif 000003
【図３】
0004472708.tif 000004
【図４】
0004472708.tif 000005
【図５】
0004472708.tif 000006
【図６】
0004472708.tif 000007
【図７】
0004472708.tif 000008
【図８】
0004472708.tif 000009
【図９】
0004472708.tif 000010